【事件の表示】
　特許第３０１３００２号「パチンコ機」の請求項１に係る特許に対する特許異議の申立てについて、次のとおり決定する。
【結　論】
　訂正を認める。
　特許第３０１３００２号の請求項１に係る特許を維持する。
【理　由】
１．手続きの経緯
　本件特許第３０１３００２号の請求項１に係る発明についての出願は、平成３年６月２８日に特許出願され、平成１１年１２月１７日にその発明についての特許権の設定登録がなされ、その後、その特許について、異議申立人、細江裕実より特許異議の申立てがなされ、取消理由を通知したところ、平成１３年３月２日に訂正請求がなされ、平成１３年４月５日に異議申立人から上申書が提出されたものである。
　
２．訂正の適否について
２-1．訂正の内容
　特許権者が求めている訂正の内容は、特許明細書を訂正明細書のとおりに訂正しようとするものである。すなわち、
（１）特許請求の範囲の「前記特定識別情報を予め定められた複数種の停止表示確率のいずれかで停止表示させ、前記権利発生遊技状態時には前記複数種の停止表示確率の中から最も低い確率で前記特定識別情報を停止表示させるようにした」（特許公報１欄１１〜１４行）を、「予め定められた複数種の停止表示確率のいずれかで停止表示される前記特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ、前記権利発生遊技状態時には、前記複数種の停止表示確率の中から最も低い確率で前記特定識別情報を停止表示させるようにした」と訂正する。
（２）明細書の段落【００１２】の「前記特定識別情報を予め定められた複数種の停止表示確率のいずれかで停止表示させ、前記権利発生遊技状態時には前記複数種の停止表示確率の中から最も低い確率で前記特定識別情報を停止表示させるようにした」（特許公報４欄１７〜２０行）を、「予め定められた複数種の停止表示確率のいずれかで停止表示される前記特定識別情報に基づいて、前記第一特定領域を通過したパチンコ球が振り分けられる振分装置を設け、該振分装置によりパチンコ球が特別装置作動頭域に誘導されることにより前記権利発生遊技状態を発生させ、前記権利発生遊技状態時には、前記複数種の停止表示確率の中から最も低い確率で前記特定識別情報を停止表示させるようにした」と訂正する。
２-2．訂正の目的の適否、新規事項の有無及び拡張・変更の存否
　上記（１）の訂正は、特許請求の範囲の記載において、「特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ」構成をさらに付加するものであるから、特許請求の範囲の減縮を目的とするものに該当し、その構成は、特許明細書の段落【００３０】〜【００３４】及び図７、１０に記載されている。
　また、（２）の訂正は、発明の詳細な説明の記載を訂正後の特許請求の範囲の記載と整合させるためのものであるから、明りょうでない記載の釈明を目的とするものに該当する。
　そして、上記（１）及び（２）の訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項の規定に適合するので、当該訂正を認める。
　
３．特許異議の申立てについて
３-1．異議申立て理由の概要
　本件請求項１に係る発明は、甲第４ないし６号証を考慮すると、本件特許出願の日前の他の特許出願であって本件特許出願後に出願公開された甲第１、２又は３号証に係る出願の願書に最初に添付した明細書又は図面（以下、「当初明細書」という）に記載された発明と同一であり、かつ発明者及び出願人が相違しているから、その特許は特許法第２９条の２の規定に違反してされたものである。
　　　　　　　　　　　　　　　記
　甲第１号証：特開平４−３３８４７６号公報（特願平３−１３９６６４号の公開公報）
　甲第２号証：特開平４−３４７１８８号公報（特願平３−１４７８９９号の公開公報）
　甲第３号証：特開平４−３４８７７６号公報（特願平３−１５１１８７号の公開公報）
　甲第４号証：特開昭６４−６２１８１号公報
　甲第５号証：特開昭６３−２２９０８３号公報
　甲第６号証：特開平１−２７４７８４号公報
３-2．本件特許発明
　本件請求項１に係る発明（以下、「本件発明」という）は、訂正後の特許明細書及び図面の記載からみて、その特許請求の範囲の請求項１に記載されたとおりの、
　「特別入賞装置内の第一特定領域をパチンコ球が通過したことにより複数の識別情報の中からいずれかの識別情報を停止表示する可変表示装置に、予め定められた特定識別情報が停止表示されることにより権利発生遊技状態を開始し、
該権利発生状態中にパチンコ球が第二特定領域を通過することによりパチンコ球が入賞しない第二の状態から入賞し易い第一の状態に変化する可変入賞球装置を設けたパチンコ機において、
予め定められた複数種の停止表示確率のいずれかで停止表示される前記特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ、前記権利発生遊技状態時には、前記複数種の停止表示確率の中から最も低い確率で前記特定識別情報を停止表示させるようにしたことを特徴とするパチンコ機。」
である。
３-3．先願明細書等に記載された発明
　甲第１号証に係る出願（特願平３−１３９６６４号）の当初明細書には、パチンコ遊技機に関し、
　「【請求項１】変動する複数の図柄を停止させて、その停止図柄態様によって当りを発生させる可変表示ゲームを行う可変表示部を有する可変表示装置と、前記停止図柄態様により当りが発生した場合に、遊技者にとって不利な第１状態から遊技者にとって有利な第２状態に変換可能な補助変動入賞装置と、該補助変動入賞装置が第２状態に変換したときに遊技球を受け入れて、該遊技球が特別の入賞口に入賞した場合には、特別遊技を行わせ易くする権利発生状態を発生させる分別装置と、前記権利発生状態のもとで特別遊技を行わせるため、所定の入賞口に遊技球が入賞する事を条件に遊技者にとって不利な第１状態から遊技者にとって有利な第２状態に変換する変動入賞装置とによって遊技を行うパチンコ遊技機であって、前記可変表示部の停止図柄を生成し可変表示ゲームの当り確率を決定する乱数を生成する複数の乱数生成部と、所定の遊技状態を示す信号に基づいて、前記可変表示部の停止図柄の生成に用いられている乱数を他の前記乱数生成部が生成する乱数に変更する状態にあるかどうかを検出する乱数変更状態検出手段と、該乱数変更状態検出手段からの信号に基づいて、前記パチンコ遊技機へ電力が供給された時点から、前記権利発生状態が発生しその権利発生状態が終了するまでは遊技者に不利な当り確率となる前記乱数生成部の乱数を選択し、前記権利発生状態が消滅した後は遊技者に有利な当り確率となる前記乱数生成部の乱数を選択し、前記有利な当り確率で可変表示ゲームが行われて再び前記権利発生状態が発生した場合には遊技者に不利な当たり確率となる乱数生成部の乱数に復帰させる乱数選択機能手段とを備えたことを特徴とするパチンコ遊技機。」（第１欄２〜３０行）と記載されている。
　甲第２号証に係る出願（特願平３−１４７８９９号）の当初明細書には、パチンコ機に関し、
（ａ）「【構成】特定開放口８への遊技球の通過をもとに所定の確率で特定入賞口２１を一時的に開く開閉手段２５ａ、２５ｂと、特定入賞口２１への遊技球の入賞により複雑な図柄を可変的に表示する特別図柄表示手段２２と、この停止時の図柄が特定の当たり態様のときに特別遊技の権利を発生する権利発生手段１００と、特別遊技の権利発生中に始動口６、７への遊技球の入賞をもとに遊技者に利益な開状態に変換する変動入賞手段５を設ける。」（要約）、
（ｂ）「【請求項１】開放口への遊技球の通過をもとに所定の確率で特定入賞口を一時的に開く開閉手段と、特定入賞口への遊技球の入賞により複雑な図柄を可変的に表示する特別図柄表示手段と、この停止時の図柄が特定の当たり態様のときに特別遊技の権利を発生する権利発生手段と、特別遊技の権利発生中に始動口への遊技球の入賞をもとに遊技者に利益な開状態に変換する変動入賞手段を設けたことを特徴とするパチンコ機。
【請求項２】特別図柄表示手段の停止図柄は乱数をもとに決定されることを特徴とする請求項１に記載のパチンコ機。
【請求項３】特別図柄表示手段は特別遊技の権利発生中での当たり発生確率を非常に低く変更する特定図柄変更手段を備える請求項１、または２に記載のパチンコ機。」（特許請求の範囲）と記載されている。
　甲第３号証に係る出願（特願平３−１５１１８７号）の当初明細書には、パチンコ機に関し、
（ａ）「【００７３】遊技球が開放口７を通過すると、その入球スイッチ１０のオンの伴って普通図柄表示器５４の表示変換が行われ、所定時間９．５秒経過すると変換が停止される。
・・・停止時の表示が当たり図柄の時にチューリップ式特定入賞口３２の開閉翼３５Ａ、３５Ｂが短時間（０．６秒）だけ開かれる。」（第８欄４１〜４９行）と、
（ｂ）「【００７８】特定入賞口３２の入賞球は球受部２６に乗ると、入り口２２から案内路４１に導かれて特別入賞室２１の後部に落ち、旋回路４４の左側または右側を回りながら室２１底部の周回路４６に入る。
【００７９】入賞球は旋回路４４からの勢いで所定の速度で回転するターンプーブル４７の周りを転がり、勢いが弱まってくるとターンテーブル４７の横断溝４８に入り、特別入賞口５０、外れ口５１Ａ、５１Ｂのいずれかに入賞する。
【００８０】そして、特別入賞口５０に入賞すると、特別スイッチ５３のオンに伴って特別遊技の権利が発生する。」（第９欄１５〜２６行）と、
（ｃ）「【００８４】始動口６Ｂ（または６Ａ）に入賞すると、特別遊技に入り、変動入賞装置５の開閉扉７２が開かれる。
【００８５】変動入賞装置５の開閉扉７２が開くと、開口部７１に遊技球が次々と入賞し、多数の賞球が獲得されると共に、この際開口部７１の入賞球が１０個になるとまたは所定時間（９．５秒）が経過すると、開閉扉７２が閉じられ、１回の特別遊技が終了する。」（第９欄４５行〜第１０欄２行）と、
（ｄ）「【００８９】また、特別遊技の権利発生中でも普通図柄表示器５４は開放口７の入球スイッチ１０のオン記憶をもとに表示変換を繰り返すが、その場合停止図柄の決定にあたり発生確率の非常に低い乱数Ｂが選択されるため、特定入賞口３２の開閉翼３５Ａ、３５Ｂはほとんど開かれることがなく、したがって特別遊技の権利発生中に再び特別入賞口５０に入賞することでせっかくの権利が消滅することは少ない。」（第１０欄１６〜２３行）と、記載されている。
　甲第４号証には、弾球遊技機に関し、
　「第１の可変入賞球装置３９の特定入賞口４７に打玉が入賞すると、特定入賞玉検出スイッチ６９により打玉が検出され、可変表示装置５３の可変表示が開始される。・・・可変表示装置５３による可変表示が停止され、可変表示装置５３の表示がたとえば「７，７，７」になると、特定遊技状態信号が導出される。そして、再び始動入賞口６３ａ，６３ｂに打玉が入賞し、始動入賞玉検出スイッチ７１ａ，７１ｂがその打玉を検出すると、第２の可変入賞球装置６１の開閉板６５が開成される。」（３頁右下欄４〜１５行）と記載されている。
　甲第５号証には、弾球遊技機に関し、
　「入賞球装置３には、特別遊技領域５内へパチンコ玉の進入を許す入口１８が設けられており、その入口１８から進入したパチンコ玉Ｐは、入賞玉振分部材２４によって振分けられ、下方に配置された通過領域の一例である特定通過領域３４及び通常入賞口３６ａ，３６ｂのうちいずれかに進入する。・・・パチンコ玉Ｐが特定通過領域３４内に進入すれば、通過玉検出器３８によりパチンコ玉Ｐの通過１１が検出され、その検出出力に基づいて可変表示部材４０の可変表示が停止し、たとえば表示が７となった場合に権利発生状態となる。」（２頁右下欄１７行〜３頁左上欄９行）と記載されている。
　甲第６号証には、弾球遊技機に関し、
　「この第３実施例においては、打玉が特定入賞口７７に入賞しただけでは第１の条件は成立せず、常に可変表示している可変表示器１１６の表示を特定入賞玉検出器７９の動作時に停止させ、その停止時の表示態様があらかじめ定めた表示態様（例えば、奇数の数字が表示されたとき）である場合に第１の条件の成立とし、その第１の条件の成立とし、その第１の条件の成立を判定して特定遊技状態とするものである。」（１４頁右下欄２〜１０行）と記載されている。
３-4．対比・判断
　本件発明と甲第１ないし３号証に係る出願の当初明細書に記載された発明とを対比すると、甲第１ないし３号証に係る出願の当初明細書に記載された発明は、訂正によって付加された本件発明の構成要件である「特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ」る構成を備えていない点で、本件発明と構成が相違する。
　そして、甲第４ないし６号証及び上記上申書で提出した資料１（特開平３−２６２８６号公報）、資料２（特開平２−７９８４号公報）及び資料３（特開昭６３−１１１８４号公報）を検討しても、前記構成が周知・慣用技術であるとはいえないから、本件発明が甲第１ないし３号証に係る出願の当初明細書に記載された発明と同一であるとすることはできない。
３-5．むすび
　以上のとおりであるから、特許異議の申立ての理由及び証拠方法によって本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月２１日（２００１．９．２１）
【訂正の要旨】
　特許第３０１３００２号発明の明細書を本件訂正請求書に添付した訂正明細書のとおりに、すなわち、特許請求の範囲の減縮を目的として下記（ａ）のとおりに訂正し、明りょうでない記載の釈明を目的として下記（ｂ）のとおりに訂正する。
（ａ）特許請求の範囲の「前記特定識別情報を予め定められた複数種の停止表示確率のいずれかで停止表示させ、前記権利発生遊技状態時には前記複数種の停止表示確率の中から最も低い確率で前記特定識別情報を停止表示させるようにした」（特許公報１欄１１〜１４行）を、「予め定められた複数種の停止表示確率のいずれかで停止表示される前記特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ、前記権利発生遊技状態時には、前記複数種の停止表示確率の中から最も低い確率で前記特定識別情報を停止表示させるようにした」と訂正する。
（ｂ）明細書の段落【００１２】の「前記特定識別情報を予め定められた複数種の停止表示確率のいずれかで停止表示させ、前記権利発生遊技状態時には前記複数種の停止表示確率の中から最も低い確率で前記特定識別情報を停止表示させるようにした」（特許公報４欄１７〜２０行）を、「予め定められた複数種の停止表示確率のいずれかで停止表示される前記特定識別情報に基づいて、前記第一特定領域を通過したパチンコ球が振り分けられる振分装置を設け、該振分装置によりパチンコ球が特別装置作動頭域に誘導されることにより前記権利発生遊技状態を発生させ、前記権利発生遊技状態時には、前記複数種の停止表示確率の中から最も低い確率で前記特定識別情報を停止表示させるようにした」と訂正する。
（５４）【発明の名称】
パチンコ機
（５７）【特許請求の範囲】
　【請求項１】　特別入賞装置内の第一特定領域をパチンコ球が通過したことにより複数の識別情報の中からいずれかの識別情報を停止表示する可変表示装置に、予め定められた特定識別情報が停止表示されることにより権利発生遊技状態を開始し、
該権利発生状態中にパチンコ球が第二特定領域を通過することによりパチンコ球が入賞しない第二の状態から入賞し易い第一の状態に変化する可変入賞球装置を設けたパチンコ機において、
予
される前記特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ、
、
【発明の詳細な説明】
　【０００１】
　【産業上の利用分野】
　本発明は、予め定められた条件が満足されたときに遊技者に有利な権利を確保し、権利確保中に他の条件が満足されたときに上記権利を行使するようにしたパチンコ機の改良に関するものである。
　【０００２】
　【従来の技術】
　パチンコ機では、遊技者の技量によって遊技中の入賞条件が変わり、遊技者にとって有利な権利（以下、権利という）を発生させることが、遊技者の遊技意欲を増大させる一つの要件となっている。
　【０００３】
　たとえばパチンコ機の遊技盤に通常の入賞口と、この通常の入賞口とは異なる第１特定領域と、この第１特定領域とは異なる第２特定領域と、パチンコ球が入賞し易い第１の状態および入賞しない第２の状態に変化可能な可変入賞球装置と、複数種の識別情報を所定時間変動表示し該変動表示終了に基いて識別情報のいずれかを停止表示する可変表示装置とを遊技盤に設け、さらに後述する特別装置を設けたものがある。
　【０００４】
　なお可変入賞球装置はソレノイドなどからなる駆動手段によって、第１の状態または第２の状態に駆動制御される。また第１特定領域および第２特定領域は、一般に入賞口からなるものが多く、この場合、入賞後のパチンコ球は回収されるのであるが、第１特定領域または第２特定領域を通過したのちに再度遊技盤に戻るように構成されたものもある。
　【０００５】
　遊技時においてパチンコ球が第１特定領域に入賞（または通過）したとき、この入賞を近接センサなどによって検出し、この検出に基いて可変表示装置は上記変動表示を開始する。この変動表示から予め定められた時間が経過すると、可変表示装置は変動表示から停止表示に移行する。このとき可変表示装置に停止表示されている識別情報が、たとえば比較回路などによって予め定められた特定識別情報であることが検出された場合、この検出に基いて特別装置は起動される。
　【０００６】
　特別装置は作動時に権利を発生させ、権利発生中すなわち特別装置の作動中に第２特定領域に通過するパチンコ球が近接センサなどによって検出されると、駆動手段は第２の状態にある可変入賞球装置を第１の状態に駆動制御する。これにより権利が行使されて、パチンコ球は可変入賞球装置に入賞し易くなり、権利を行使できるので、単位時間当りの賞球数を増大させることができるのである。
　【０００７】
　権利発生中に特定識別情報が可変表示装置に停止表示され、この旨が検出された場合、特別装置は作動を停止して発生させている権利を消滅させる。
　【０００８】
　ところで可変表示装置に停止表示される特定識別情報は、予め定められた手順に基いて識別情報の中から選択され、可変表示装置には識別情報のいずれかを選択するための識別情報表示制御手段が接続されている。このような識別情報表示制御手段には、特定識別情報を識別情報の中から選択する確率を複数種設け、同確率を権利発生前よりも権利発生後に大きく設けたものがある。
　【０００９】
　このような識別情報表示制御手段を設けた機種では、一旦権利が発生すると、特定識別情報が識別情報の中から選択される確率が増大することから、可変表示装置に特定識別情報が停止表示され易くなるので、権利を行使したのちにも次回の権利が発生し易くなるので、遊技者の興趣は高められることになる。
　【００１０】
　【発明が解決しようとする課題】
　ところが上記構成のパチンコ機では一旦権利が発生すると次回の権利が発生し易くなるものの、権利発生中における第１特定領域への入賞検出に基いて特定識別情報が識別情報の中から選択されると、特別装置は作動を停止させる。このことから発生中の権利は消滅し、権利をすべて行使する以前に権利が消滅するので、遊技意欲を減退させ易いという問題を招く。
　【００１１】
　そこで本発明は、権利をすべて行使する以前に権利が消滅することを抑止したパチンコ機の提供を目的としている。
　【００１２】
　【課題を解決するための手段】
　上記課題を解決するために、請求項１のパチンコ機に係る発明は、特別入賞装置内の第一特定領域をパチンコ球が通過したことにより複数の識別情報の中からいずれかの識別情報を停止表示する可変表示装置に、予め定められた特定識別情報が停止表示されることにより権利発生遊技状態を開始し、
該権利発生状態中にパチンコ球が第二特定領域を通過することによりパチンコ球が入賞しない第二の状態から入賞し易い第一の状態に変化する可変入賞球装置を設けたパチンコ機において、
予
される前記特定識別情報に基づいて、前記第一特定領域を通過したパチンコ球が振り分けられる振分装置を設け、該振分装置によりパチンコ球が特別装置作動領域に誘導されることにより前記権利発生遊技状態を発生させ、
、
　【００１３】
　【作用】
　上記構成により、確率調節手段は前記特別装置の作動時において、特定識別情報が前記識別情報表示制御手段によって複数種の識別情報の中から選択される確率を最小にするので、前記特別装置の作動時に可変表示装置が特定識別情報を停止表示する可能性は減少する。
　【００１４】
　【実施例】
　以下本発明の実施例を図面に基いて説明する。図１は本発明の要部構成を示し、図２に仮想線で示したパチンコ機１に設けられている。パチンコ機１の遊技盤２には通常の入賞口３、可変入賞球装置４、入賞口を構成する第２特定領域５および特別入賞装置６が設けられている。この特別入賞装置６には詳細は後述するが、図３に破線で示した第１特定領域７が設けられている。
　【００１５】
　可変入賞球装置４には一対の開閉羽根８，８が設けられ、開閉羽根８，８は基端部を中心として回動自在に設けられ、開閉羽根８の基端には図５に示すようにクランク９の一端が係合している。クランク９の他端は、ソレノイドからなる駆動手段としての大入賞口ソレノイド１０のプランジャ１１に一端が取り付けられたリンク１２の他端に取り付けられている。
　【００１６】
　これにより大入賞口ソレノイド１０の励磁時おいてはプランジャ１１を図５中、下方に吸引するので、可変入賞球装置４はパチンコ球が入賞し易い第１の状態を形成する。この状態から大入賞口ソレノイド１０が解磁されると、プランジャ１１はスプリング１３によって図５中、上方に戻されるので、可変入賞球装置４は図４の破線および図５で示すパチンコ球が入賞しない第２の状態を形成する。１４は１０カウントスイッチで、１０カウントスイッチ１４は第１の状態にある可変入賞球装置４に入賞するパチンコ球を検出するためのもので、１０カウントスイッチ１４は大入賞口ソレノイド１０を制御するための図１に示した駆動制御手段（後述）１５に接続されている。また１６は大入賞口ソレノイド１０を取り付けるための取付板、１７はベース板である。
　【００１７】
　図２および図３に戻り、特別入賞装置６の正面下方には可変表示装置としての識別情報表示装置１８が設けられている。また第１特定領域７には近接センサからなる図柄作動スイッチ１９が設けられ、第１特定領域７を通過したパチンコ球が図柄作動スイッチ１９によって検出されたとき、識別情報表示装置１８はこの検出に基いて予め定められた複数種の識別情報を所定時間変動表示させ、この時間が経過したとき、識別情報のいずれかを停止表示する（後述）。
　【００１８】
　識別情報表示装置１８は図２および図６に示すように、横方向に配列された複数（本実施例では８個）のＬＥＤから構成されている。上記変動表示とは、識別情報表示装置１８のいずれかを所定時間点灯した後に消灯し、これと同時に隣接された識別情報表示装置１８のいずれかを所定時間点灯した後に消灯することを順次繰り返すことで、識別情報表示装置１８のいずれかを図２中、左側から右側に順次点灯することである。他方、停止表示とはいずれかの識別情報表示装置１８を点灯表示することである。
　【００１９】
　変動表示から停止表示に移行する際には、変動表示時において最後に点灯された識別情報表示装置１８の右隣に位置する識別情報表示装置１８が点灯される。なお変動表示時に最後に点灯された識別情報表示装置１８が右端に位置する場合、左端に位置する識別情報表示装置１８が点灯される。さらに各識別情報表示装置１８の直下には、図示を省略しているが「当たり」または「外れ」に相当する表示がなされ、これらの「当たり」または「外れ」に係る表示は各識別情報表示装置１８の各々に対応して設けられている。
　【００２０】
　特別入賞装置６は上部に特別入賞口２０を設け、パチンコ球は図２および図６中、左方からのみ特別入賞装置６に入賞する。そして特別入賞装置６入賞した全てのパチンコ球に対しては所定数の賞品球が払出される。２１は特別入賞装置６に形成された入賞空間部で、入賞空間部２１と特別入賞口２０とは特別入賞装置６の奥方に形成された誘導路２２によって連通される。また特別入賞口２０の直上部には天入賞口２３が形成され天入賞口２３への入賞球に対しては、入賞口３への入賞球に対応する賞品球数と同じ払出数の賞品球が払出される。
　【００２１】
　図３に戻り入賞空間部２１の底部２５には円盤２６が回転自在に設けられ、円盤２６の中心には回転軸２７の下端が固定されている。回転軸２７は入賞空間部２１の底部から特別入賞装置６の上壁を貫通し、上端に傘歯車２８を取り付けている。２９は傘歯車２８に係合する傘歯車で、傘歯車２９にはモータ３０の回転軸が固定されている。モータ３０はパチンコ機１への電源供給時には常時動作しており、この動作により傘歯車２９は傘歯車２８を駆動することにより回転軸２７を介して円盤２６を一定速度で回転させる。
　【００２２】
　円盤２６には当り孔３１と外れ孔３２とが、図８に示すように回転軸２７を中心として対称に穿設されており、当り孔３１は外れ孔３２よりも回転軸２７寄りに配置されている。本実施例では、当り孔３１が２箇所に設けられ、各当り孔３１，３１の両側にはそれぞれ外れ孔３２が合計４箇所に設けられている。
　【００２３】
　各孔３１，３２は回転軸２７を中心に３０度毎にリブ３３で扇形状に仕切られている。また当り孔３１を含む扇形の外縁部にはリブ３３が延設され、延設されたリブ３３にはパチンコ球が挿通可能な切欠３４が設けられている。なお本実施例では切欠３４の幅は１２．５ｍｍに、パチンコ球径は１１．０ｍｍに定められている。
　【００２４】
　入賞空間部２１の底部２５には図９に示すように、誘導孔３５および誘導長孔３６が穿設され、誘導孔３５は当り孔３１に対応させて配置される一方、誘導長孔３６は当り孔３１および外れ孔３２の両方に対応させて配置されている。また底部２５の円盤２６外周には図８および図９に示すように、いわゆるクルーン３７が設けられている。なお円盤２６は本実施例において図８中、反時計方向に回転するものとする。
　【００２５】
　クルーン３７の縁は円盤２６の外周縁より上位または同一の高さになるように形成され、さらにクルーン３７から円盤２６の中心にかけて下位になるように傾斜させている。これにより特別入賞装置６に入賞したパチンコ球は入賞空間部２１からクルーン３７を経て、円盤２６のリブ３３で仕切られたいずれかの部位に流下したのち、当り孔３１または外れ孔３２に入賞する。
　【００２６】
　この当り孔３１または外れ孔３２への入賞球は上述した円盤２６の回転によって、当り孔３１が誘導孔３５および誘導長孔３６に対応する位置に到達するまで、または外れ孔３２が誘導長孔３６に対応する位置に到達するまで、当り孔３１および外れ孔３２のいずれかと底部２５とによって保持される。
　【００２７】
　そして当り孔３１に入賞して誘導孔３５に誘導されたパチンコ球のみが第１特定領域７を通過する一方、当り孔３１に入賞したにもかかわらず誘導長孔３６に入賞したパチンコ球と、外れ孔３２に入賞したパチンコ球とは第１特定領域７を通過することがない。以下、パチンコ球が第１特定領域７を通過することを、第１特定領域７に入賞するということにする。
　【００２８】
　図１において、３９は識別情報表示制御手段で、識別情報表示制御手段３９は識別情報表示装置１８を制御するためのものである。第１特定領域７への入賞球の検出信号が図柄作動スイッチ１９から入力され、この検出信号は識別情報表示制御手段３９に入力され、これに基いて識別情報表示制御手段３９はいずれかの識別情報を選択する。そして識別情報表示制御手段３９は識別情報を識別情報表示装置１８に所定時間変動表示させた後、選択された識別情報を識別情報表示装置１８に停止表示する。
　【００２９】
　識別情報表示装置１８に停止表示される識別情報のうち、上記「当たり」に相当する識別情報を以下、特定識別情報ということにする。詳細は後述するが、特定識別情報は識別情報表示制御手段３９によって予め定められた手順に基いて、所定確率で選択され、この確率は予め定められた条件に応じて変動する。識別情報表示装置１８には表示図柄判定回路４０が接続され、表示図柄判定回路４０は識別情報表示装置１８に停止表示された識別情報の種別を判定する。表示図柄判定回路４０には図示を省略したメモリが設けられ、このメモリには特定識別情報が格納されている。
　【００３０】
　図７の４１は振分装置で、振分装置４１は特別入賞装置６の下方左側に配置されている。振分装置４１は表示図柄判定回路４０によって制御されるもので、識別情報表示装置１８に停止表示される識別情報に応じて第１特定領域７への入賞球を振分ける。
　【００３１】
　振分装置４１は図１０に示すようにモータ４２、カム４３およびリンク棒４４を主構成とする。モータ４２の回転軸にはカム４３が偏心して取り付けられ、カム４３にはリンク棒４４の一端が回動自在に取り付けられている。このリンク棒４４の他端は、基端が図柄作動スイッチ１９の直下に回動自在に支持された回動支軸４５の先端に回動自在に支持されている。モータ４２は通常時において、リンク棒４４が図１０に示す最高位に位置するようにカム４３を配置し、これをモータ４２の原位置に定めている。
　【００３２】
　４６はモータ位置検出スイッチで、モータ位置検出スイッチ４６はモータ４２が原位置にあるか否かを検出するもので、その検出信号は表示図柄判定回路４０に入力される。モータ４２が原位置にある場合において、第１特定領域７を通過したパチンコ球は図柄作動スイッチ１９によって検出され、かつ、図柄作動スイッチ１９およびリンク棒４４の他端により図１０で示した状態に保持される。
　【００３３】
　そして識別情報表示装置１８に停止表示される識別情報が表示図柄判定回路４０によって特定識別情報でないと判定された場合、表示図柄判定回路４０は原位置にあるモータ４２を図１０中、逆方向（反時計方向）に回動させることによって、図柄作動スイッチ１９およびリンク棒４４の他端で保持されたパチンコ球を第１特定領域７から図１１中、右側に誘導する。
　【００３４】
　これに対して識別情報表示装置１８に停止表示された識別情報が表示図柄判定回路４０によって特定識別情報であること判定された場合、表示図柄判定回路４０は原位置にあるモータ４２を図１０および図１２中、正方向（時計方向）に回動させる。これにより図柄作動スイッチ１９およびリンク棒４４の他端で保持されたパチンコ球が第１特定領域７から図１３および図１０中、左側の特別装置作動領域４７に流下される。特別装置作動領域４７に誘導されたパチンコ球は特別装置スイッチ４８によって検出されると同時に特別装置４９は作動状態になり、権利が発生する。この検出信号は後述する確率調節手段３８に入力されるので、確率調節手段３８は特別装置４９の作動状態を検出できる。
　【００３５】
　なお権利発生中すなわち特別装置４９の作動中、識別情報表示装置１８に停止表示された識別情報が表示図柄判定回路４０によって特定識別情報であると判定された場合、上記同様に図柄作動スイッチ１９およびリンク棒４４の他端で保持されたパチンコ球が第１特定領域７から図１３および図１０中、左側の特別装置作動領域４７に流下され、このパチンコ球は特別装置スイッチ４８によって検出されると同時に、特別装置４９は作動を停止して発生中の権利を消滅させる。
　【００３６】
　パチンコ機２はＣＰＵ、ＲＯＭおよびＲＡＭを主構成とする制御回路（図１参照）によって制御され、ＲＯＭに格納されたプログラムを順次実行する。このプログラムは１サイクルが４ｍ秒間未満で処理されるように設計され、４ｍ秒間毎にＣＰＵにはリセット信号が入力される。そして１サイクルのプログラムの実行終了後、リセット信号が入力すなわちプログラムの実行開始から４ｍ秒間が経過するまで、プログラムの最終ステップであるところの図示を省略した後述するカウンタの乱数加算演算に係る命令をループする。
　【００３７】
　識別情報表示装置１８に停止表示される識別情報は以下に示すタイミングで決定される。図柄作動スイッチ１９は第１特定領域７に入賞したパチンコ球を検出すると、この入賞球の検出信号が識別情報表示制御手段３９に入力される。これと同時に識別情報表示制御手段３９は識別情報を識別情報表示装置１８に変動表示させ、所定時間（たとえば５秒間程度）経過ののちに識別情報のいずれかを停止表示する。
　【００３８】
　識別情報表示制御手段３９は識別情報表示装置１８に停止表示される識別情報を選択または決定するために、上記カウンタを合計３系統設けている。そして第１ないし第３の各カウンタは、パチンコ機１の電源投入時から上記制御回路のリセット毎いいかえれば４ｍ秒間経過毎に「１」を各々乱数として加算するもので、第１のカウンタは「０」ないし「７９」まで、第２のカウンタは「０」ないし「４」まで、さらに第３のカウンタは「０」ないし「２」までを各々加算演算し、こののち「０」に戻ってリセットされる毎に「１」を加算する。
　【００３９】
　これらのうち、第１のカウンタは識別情報表示装置１８に停止表示される識別情報が特定識別情報いいかえれば権利を発生させるか否かを、第２のカウンタは「当たり」に相当する特定識別情報の種別を、また第３のカウンタは「外れ」に相当する識別情報の種別をそれぞれ選択するためのものである。本実施例では図６中、右側５箇の識別情報表示装置１８を特定識別情報に定め、第２のカウンタから得られる「０」ないし「４」の５種の乱数値に識別情報表示装置１８を左側（最左端から４番目）から順次対応させている。他方、左側３箇の識別情報表示装置１８は特定識別情報でない識別情報に定めており、第３のカウンタから得られる「０」ないし「２」の３種の乱数値に識別情報表示装置１８を左側から順次対応させている。
　【００４０】
　上記第１のカウンタは第１特定領域７を通過したパチンコ球を図柄作動スイッチ１９によって検出した時点で（図１４ア参照）、その乱数値Ｎ１が「０」ないし「１６」の場合である場合、特定識別情報を識別情報表示装置１８に停止表示することが決定される。そして識別情報表示装置１８に停止表示される特定識別情報の種別は、第２のカウンタの乱数値Ｎ２に依存する。
　【００４１】
　他方、第１のカウンタは、カウンタの乱数値Ｎ１が図１４アの時点で「１７」ないし「７９」である場合、識別情報表示装置１８に特定識別情報でない識別情報を停止表示することが決定され、その識別情報は第３のカウンタの乱数値Ｎ３に依存する。
　【００４２】
　なお本実施例において便宜上、図１５Ａに示すように電源投入時から第１回目の権利の発生までを、権利モード「０」、図１５Ｂおよび図１５Ｆに示すように第１回目の権利の発生から第１回目の権利の行使（後述）終了までを、権利モード「１」、図１５Ｃおよび図１５Ｇに示すように第１回目の権利の行使終了から第２回目の権利の発生までを、権利モード「２」、そして図１５Ｄおよび図１５Ｈに示すように第２回目の権利の発生から第２回目の権利の行使終了までを、権利モード「３」定め、図１５Ｅおよび図１５Ｉに示すように権利モード「３」以降は権利モード「０」ないし権利モード「３」を繰り返すものとする。
　【００４３】
　確率調節手段３８は識別情報表示制御手段３９に接続され、特定識別情報が選択される確率を調節するための当たり確率制御信号を権利モード「２」のときのみ、識別情報表示制御手段３９および高確率状態表示灯５０に入力する。このとき高確率状態表示灯５０は権利モード「２」である旨を点灯または点滅によって表示する。
　【００４４】
　当たり確率制御信号が識別情報表示制御手段３９に入力されているとき、識別情報表示制御手段３９は、上記第１のカウンタから得られた乱数値Ｎ１にかかわらず、特定識別情報が選択されることを決定する。これにより当たり確率制御信号が発生している場合、特定識別情報が識別情報表示制御手段３９によって選択される確率は、権利モード「２」のときのみ「八十分の八十」になる。
　【００４５】
　他方、当たり確率制御信号が識別情報表示制御手段３９に入力されていないとき、識別情報表示制御手段３９は上述したように乱数値Ｎ１が「０」ないし「１６」の場合である場合のみ、特定識別情報を選択されることに決定される。これにより特定識別情報が識別情報表示制御手段３９によって選択される確率は「八十分の十七」になる。
　【００４６】
　したがって特定識別情報が識別情報表示制御手段３９によって選択される確率いいかえれば権利の発生確率は２種類あり、権利モード「０」、権利モード「１」および権利モード「３」における権利の発生確率値は、権利モード「２」における権利の発生確率値よりも小さい。
　【００４７】
　特別装置４９の作動によって権利が発生すなわち権利モード「１」および権利モード「３」のときのみ、特別装置作動表示灯５１が作動し、その旨を点灯または点滅によって表示する。
　【００４８】
　第２特定領域５には図１および図７に示すように近接センサからなる第３種始動口スイッチ５２が設けられている。特別装置４９の作動時に第２特定領域５にパチンコ球が入賞すると、第３種始動口スイッチ５２は入賞球の検出信号を駆動制御手段１５および特別装置４９に入力する。これに基いて駆動制御手段１５は第３種始動口スイッチ５２からの検出信号がある場合、図２および図４に示すように、大入賞口ソレノイド１０を所定時間（本実施例では１０秒間）励磁することによって、可変入賞球装置４を第２の状態から第１の状態に移行させる。
　【００４９】
　このとき駆動制御手段１５は、１０カウントスイッチ１４によって可変入賞球装置４に１０球の入賞球をカウントするか、可変入賞球装置４が第２の状態から第１の状態に移行してから１０秒間経過するまでのいずれかが達成されるまで第１の状態を保持する。いずれかが達成されたとき、駆動制御手段１５は可変入賞球装置４を第１の状態から、図４破線に示すように第２の状態に移行させ、権利は１回行使されたことになる。可変入賞球装置４への入賞球数は図１の１０カウント表示灯５３に点灯表示される。また図２、図３および図６に示した５５は、装飾部材である。
　【００５０】
　作動中の特別装置４９は、第３種始動口スイッチ５２の検出回数が１６回に達するか、上述したようにふたたび特別装置スイッチ４８によって特別装置作動領域４７におけるパチンコ球が検出されることにより、作動を停止させる。なお可変入賞球装置４への入賞球数は１０カウント表示灯５３に点灯表示される。
　【００５１】
　さらにまた本実施例では識別情報表示装置１８を複数のＬＥＤによって構成するとともにＬＥＤいずれかを点灯表示し、この点灯表示に対応する識別情報が特定識別情報に相当する否かを決定する場合を説明したが、これに限定されるものではない。たとえば識別情報を複数桁の図柄および数字などで構成し、これらをドットマトリクスのＬＥＤまたはＬＣＤなどからなる識別情報表示装置１８で表示するようにしてもよい。
　【００５２】
　つぎに上記構成のパチンコ機１の使用手順を図１６ないし図２３に基いて、以下に説明する。まず図１６に示すようにＳ１では、電源が初期投入されたか否かが判定され、初期投入であると判定されると、Ｓ２へ進んで上記ＲＡＭの内容を全てクリアする。ついでＳ３では、各種初期設定として図１５Ａに示すように権利モード「０」をセットしたのちに、Ｓ４３にジャンプする。
　【００５３】
　他方Ｓ１において電源が初期投入されていないと判定されると、Ｓ４へ進み、遊技盤２上に設けられた各スイッチの短絡・断線等に係るハードチェックを行う。つぎにＳ５で、上記Ｓ４におけるハードチェックが正常でなければ、Ｓ３７でエラーモード「１」がセットされたのち、Ｓ３８で表示灯の処理が施される。他方スイッチのハードチェックが正常ならばＳ６へ進み、エラーモード「１」のセット有無が判定される。
　【００５４】
　Ｓ６においてエラーモード「１」がセットされている場合にはＳ７へ進んでエラーモード「１」をクリアしてからＳ８へ進み、そうでない場合にはＳ６からＳ８にジャンプする。Ｓ８では、特別装置スイッチ４８がＯＮされたか否かを判定し、ＯＮされている場合は（図１４イ参照）、Ｓ９へ進んで権利発生に係る処理が施される一方、特別装置スイッチ４８ＯＮされていない場合にはＳ１０にジャンプする。
　【００５５】
　上記Ｓ９では図１７に示す処理が順次実行される。まずＳ９ー１において、権利モード「０」のセット有無が判定され、セットされている場合はＳ９ー２へ進み、権利フラグがセットされる。このことにより特別装置４９が作動されたのち（図１４ウおよび図１５Ｆ参照）、Ｓ９ー３では権利モード「０」をクリアして、Ｓ９ー４で権利モード「１」を新たにセットする（図１５Ｂ参照）。
　【００５６】
　このとき確率調節手段３８は当たり確率制御信号を発生させていないので、識別情報表示装置１８が特定識別情報を停止表示する可能性は、権利モード「２」の場合と比較してきわめて小さくなる。これにより権利発生中にすべての権利を行使する以前に、権利が消滅する可能性を権利モード「２」の場合と比較してきわめて小さくすることができる。しかるのち図１６のｓ１０にジャンプする。
　【００５７】
　上記Ｓ９ー１において権利モード「０」がセットされていないと判定されると、Ｓ９ー５へ進んで権利モード「１」のセット有無が判定される。権利モード「１」がセットされている場合は、Ｓ９ー６へ進み権利フラグをクリアして特別装置４９の作動を停止させ（図１５Ｇ参照）、Ｓ９ー７およびＳ９ー８で権利モード「１」を「２」に更新セットする（図１５Ｃ参照）。
　【００５８】
　これにより確率調節手段３８は当たり確率制御信号を発生させるので、識別情報表示装置１８は第１特定領域７への入賞時には必ず特定識別情報を停止表示することになり、権利が発生する可能性は権利モード「０」、「１」および「３」の場合と比較してきわめて大きくなる。しかるのち図１６のｓ１０にジャンプする。
　【００５９】
　Ｓ９ー５において権利モード「１」がセットされていないと判定されると、Ｓ９ー９へジャンプし、権利モード「２」のセット有無が判定される。ここで権利モード「２」がセットされていると判定されると、Ｓ９ー１０へ進み、権利フラグをセットすることにより特別装置４９を作動させる（図１５Ｈ参照）。ついでＳ９ー１１およびＳ９ー１２で権利モード「２」を「３」に更新セットする（図１５Ｄ参照）。
　【００６０】
　このとき確率調節手段３８は当たり確率制御信号を発生させていないので、識別情報表示装置１８が特定識別情報を停止表示する可能性は、権利モード「２」の場合と比較してきわめて小さくなる。これにより権利発生中にすべての権利を行使する以前に、権利が消滅する可能性を権利モード「２」の場合と比較してきわめて小さくすることができる。しかるのち図１６のｓ１０にジャンプする。
　【００６１】
　Ｓ９ー９において権利モード「２」がセットされていないと判定されると、Ｓ９ー１３へ進み、権利モード「３」のセット有無が判定され、権利モード「３」がセットされている場合、Ｓ９ー１４へ進み、権利フラグがクリアされることにより特別装置４９の作動が停止される（図１５Ｉ参照）。そしてＳ９ー１５では権利モード「３」をクリアして、Ｓ９ー１６で権利モード「０」を新たにセットしたのち（図１５Ｅ参照）、図１６のｓ１０にジャンプする。
　【００６２】
　図１６に戻り、Ｓ１０では図柄作動スイッチ１９がＯＮされたか否かを判定し、図柄作動スイッチ１９が図１４アに示すようにＯＮされたと判定された場合、Ｓ１１において識別情報の変動・停止表示に係る処理が施される。またＳ１０で図柄作動スイッチ１９がＯＮされていないと判定された場合、Ｓ１２にジャンプする。
　【００６３】
　Ｓ１１では図１８および図１９に示す処理が実行される。まず図１８のＳ１１ー１では、識別情報が変動表示されるための図柄作動モードのセット有無が判定され、セットされていれば、後述する図１９のＳ１１ー１５にジャンプする一方、そうでなければＳ１１ー２で図柄停止モードのセット有無が判定される。そして図柄停止モードがセットされていないと判定された場合、Ｓ１１ー３において図１４エに示すように図柄作動モードをセットするとともに、Ｓ１１ー４では図示を省略した図柄停止タイマに「１．６秒間」をセットしたのち、Ｓ１１ー５において識別情報の変動表示が開始される（図１４オ参照）。
　【００６４】
　図１９の上記Ｓ１１ー１５においては、図柄停止タイマの減算処理が行われ、Ｓ１１−１６で減算処理された図柄停止タイマが「０」であるか否かを判定し、「０」でなければ図１６のＳ１２にジャンプする一方、「０」であればＳ１１ー１７において上記第１のカウンタの乱数値Ｎ１をロードする（図１４カ参照）。
　【００６５】
　そしてＳ１１ー１８では権利モード「２」のセット有無が判定され、権利モード「２」がセットされていると判定されると、Ｓ１１ー２０にジャンプする一方、そうでない場合にはＳ１１ー１９において第１のカウンタの乱数値Ｎ１が「１６」以下であるか否かが判定される。上記Ｓ１１ー１９において乱数値Ｎ１が「１６」以下である場合には、Ｓ１１ー２０で第２のカウンタの乱数値Ｎ２がロードされたのち（図１４カ参照）、この乱数値Ｎ２に相当する特定識別情報および停止表示位置がセットされる（Ｓ１１ー２１）。
　【００６６】
　他方Ｓ１１ー１９において乱数値Ｎ１が「１６」を越えている場合には、Ｓ１１ー２２で第３のカウンタの乱数値Ｎ３がロードされたのち、この乱数値Ｎ３に相当する特定識別情報ではない識別情報および停止表示位置がセットされる（Ｓ１１ー２３）。こののちＳ１１ー２４では図１４キに示すように図柄停止モードがセットされたのちに、Ｓ１１ー２５では図柄作動モードがクリアされ、図１６のＳ１２にジャンプする。
　【００６７】
　図１８に戻り、Ｓ１１ー２で図柄停止モードがセットされていると判定された場合、Ｓ１１ー６において識別情報（「当たり」・「外れ」）およびその識別情報の停止位置が一致しているか否かを判定し、一致していない場合にはる場合には図１６のＳ１２にジャンプする一方、一致している場合、Ｓ１１ー７において識別情報表示装置１８に変動表示されている識別情報が停止表示される。
　【００６８】
　つぎにＳ１１ー８で表示図柄判定回路４０は図１４ケに示すように、上記１１ー７で停止表示された識別情報が特定識別情報であるか否かを判定し、特定識別情報である場合に表示図柄判定回路４０はカム４３を図１０中、正方向に回動させるようにモータ４２の回転軸方向をセットする（Ｓ１１ー９〜図１４コ参照）。他方Ｓ１１ー８で特定識別情報でないと判定された場合、表示図柄判定回路４０はＳ１１ー１０でカム４３を図１０中、逆方向に回動させるようにモータ４２の回転軸方向をセットしたのちに、Ｓ１１ー１１にジャンプする。
　【００６９】
　Ｓ１１ー１１ではモータ４２の駆動モードがセットされたのち（図１４サ参照）、Ｓ１１ー１２では図示を省略したモータ駆動タイマに０．３５秒間がセットされる。しかるのち表示図柄判定回路４０はＳ１１ー１３においてモータ４２を駆動し、Ｓ１１ー１４では図柄停止モードがクリアされると、図１６のＳ１２にジャンプしてモータの駆動に係る処理が実行される。
　【００７０】
　このＳ１２における処理の詳細は図２０に示されている。まずＳ１２ー１においてモータ４２の駆動モードのセット有無が判定され、セットされていないと判定された場合には後述するＳ１２ー８にジャンプする一方、そうでない場合にはＳ１２ー２において上記モータ駆動タイマがタイムアップすなわち「０」であるか否かを判定する。そして上記モータ駆動タイマがタイムアップしていると判定された場合、Ｓ１２ー３において表示図柄判定回路４０はモータ４２の作動を停止させたのち（図１４シ参照、）、Ｓ１２ー４において図示を省略したモータ駆動停止タイマに０．０５秒間がセットされる。ついでＳ１２ー５ではモータ４２の停止モードがセットされ（図１４ス参照）、Ｓ１２ー６でモータ４２の駆動モードがクリアされる。
　【００７１】
　他方、上記Ｓ１２ー２において上記モータ駆動タイマがタイムアップしていないと判定された場合、Ｓ１２ー７で上記モータ駆動タイマは減算されたのちにＳ１２ー８が実行される。Ｓ１２ー８においてモータ４２の停止モードがセットされているか否かを判定し、同モードがセットされていない場合には図２１のＳ１３にジャンプする一方、同モードがセットされている場合にはＳ１２ー９で上記モータ駆動停止タイマがタイムアップしているか否かを判定する。
　【００７２】
　そして上記Ｓ１２ー９で、上記モータ駆動停止タイマがタイムアップしていないと判定された場合にはＳ１２ー１７にジャンプする一方、同タイマがタイムアップしていると判定された場合、Ｓ１２ー１０においてモータ４２の回転方向が正方向であるか否かを判定する。上記Ｓ１２ー１０でモータ４２の回転方向が正方向であると判定された場合、Ｓ１２ー１１においてモータ４２の回転方向を逆方向にセットする一方、モータ４２の回転方向が逆方向であると判定された場合、Ｓ１２ー１２においてモータ４２の回転方向を正方向にセットしたのちにＳ１２ー１３にジャンプする。
　【００７３】
　Ｓ１２ー１３で表示図柄判定回路４０は、モータ位置検出スイッチ４６がＯＮされているか否かを判定し、図１４セに示すようにＯＮされていると判定されたときには、Ｓ１２ー１４においてモータ４２が原位置にリセットされたものとしてモータ４２の作動を停止する。こののちＳ１２ー１５でモータ４２の停止モードを図１４ソに示すようにクリアしたのち、図２１のＳ１３にジャンプする。他方Ｓ１２ー１３でモータ位置検出スイッチ４６がＯＮされていないと判定されタイマ場合には、Ｓ１２ー１６でモータ４２の駆動を継続させて図２１のＳ１３にジャンプする。
　【００７４】
　Ｓ１３では権利フラグ（Ｓ９ー２）のセット有無が判定され、セットされていない場合にはＳ１９にジャンプする一方、権利フラグがセットされている場合、Ｓ１４で第３種始動口スイッチ５２がＯＮされているか否かが判定される。そして第３種始動口スイッチ５２がＯＮされていない場合にはＳ１９にジャンプする一方、ＯＮされている場合にはＳ１５で図１４タに示すように役始動モードをセットする。
　【００７５】
　つぎにＳ１６では現始動入賞球数に「１」を加算して、Ｓ１７でＳ１６における和が「１６」以上であるか否かが判定される。そして上記Ｓ１７で「１６」以上でないことが判定された場合にはＳ１９にジャンプする一方、「１６」以上であることが判定された場合にはＳ１８において権利の消滅処理が施される。
　【００７６】
　この権利の消滅処理の詳細は図２２に開示されている。まずＳ１８ー１において権利フラグをクリアすることによって特別装置４９の動作を停止させ（図１５ＧまたはＩ参照）、Ｓ１８ー２においては権利モード「１」のセット有無が判定される。そして権利モード「１」がセットされている場合は、Ｓ１８ー３へ進み権利モード「１」をクリアして、Ｓ１８ー４で権利モード「２」を新たにセットしたのち（図１５Ｃ参照）、図２１のｓ１９にジャンプする。
　【００７７】
　他方Ｓ１８ー２において権利モード「１」がセットされていないと判定された場合、Ｓ１８ー５において権利モード「３」のセット有無が判定され、権利モード「３」がセットされている場合、Ｓ１８ー６で権利モード「３」をクリアしてＳ１８ー７で権利モード「０」を新たにセットしたのち（図１５Ｅ参照）、図２１のｓ１９にジャンプする。また上記Ｓ１８ー５において権利モード「３」がセットされていないと判定された場合、図２１のｓ１９にジャンプする。
　【００７８】
　ｓ１９においては権利を行使可能にための「役モード」のセット有無が判定され、「役モード」がセットされている場合にはＳ２４にジャンプする一方、「役モード」がセットされていない場合にはＳ２０が実行される。Ｓ２０では上記Ｓ１５において「役始動モード」のセット有無が判定される。そして「役始動モード」がセットされていない場合にはＳ２０から図１６のＳ３８にジャンプする一方、「役始動モード」がセットされている場合、Ｓ２１で図１４チに示すように「役モード」がセットされる。
　【００７９】
　つづいてＳ２２において図示を省略した大入賞口開口タイマに、第２状態にある可変入賞球装置４を第１状態に移行させる時間（本実施例では１０秒間）をセットする。ついでＳ２３で大入賞口ソレノイド１０が図１４ツに示すように駆動制御手段１５によってＯＮすなわち励磁され、Ｓ２４において可変入賞球装置４への入賞球が１０カウントスイッチ１４をＯＮさせたか否かを判定する。
　【００８０】
　Ｓ２４で１０カウントスイッチ１４がＯＮされている場合には、そのカウント数に「１」を加算処理してから（Ｓ２５）、Ｓ２６へ進んで１０カウントスイッチ１４によるカウント数が１０以上であるか否かを判定し、１０以上になっている場合には、Ｓ２８にジャンプする一方、１０カウントスイッチ１４によるカウント数が１０未満である場合にはＳ２７にジャンプする。
　【００８１】
　また上記Ｓ２４で１０カウントスイッチ１４がＯＮされていない場合には、Ｓ２７にジャンプして上記大入賞口開口タイマのタイムアップ有無が判定され、タイムアップしているとき、Ｓ２８で大入賞口ソレノイド１０をＯＦＦすなわち解磁して（図１４テ参照）、第１状態にある可変入賞球装置４を第２状態に移行させることにより開口を終了したのち、Ｓ２９において上記大入賞口開口タイマをクリアし、Ｓ３０へ進む。他方Ｓ２７で上記大入賞口開口タイマがタイムアップしていないと判定されたときには、Ｓ３６で上記大入賞口開口タイマの減算処理が施されたのちに図１６のＳ３８にジャンプする。
　【００８２】
　上記Ｓ３０では可変入賞球装置４の開口中に１０カウントスイッチ１４が入賞球によってＯＮされて、１０カウントスイッチ１４によるカウント数が「０」であるか否かが判定される。この１０カウントスイッチ１４によるカウント数が「０」の場合は、スイッチがズラされている等の不正がなされたものとみなされ、Ｓ３１でエラーモード「２」をセットしたのちに、図１６のＳ３８にジャンプする。
　【００８３】
　他方１０カウントスイッチ１４によるカウント数が「０」でない場合は、Ｓ３２において役モードをクリアした後、Ｓ３３で役始動モードをクリアしてＳ３４へ進みエラーモード「２」のセットの有無を判定する。このＳ３４においてエラーモード「２」がセットされていれば、そのエラー状態は復帰したものとみなしてＳ３５でエラーモード「２」をクリアしてから図１６のＳ３８にジャンプする。またＳ３４においてエラーモード「２」がセットされていなければ、図１６のＳ３８にジャンプする。
　【００８４】
　図１６に戻りＳ３８では、各モードに対応した表示灯の点灯、点滅等の処理を実行したのち、Ｓ３９へ進み、エラーモード「１」または「２」のセットの有無を判定する。ここでエラーモード「１」または「２」がセットされているときにはＳ４０でエラー表示灯の処理を行ったのちＳ４１へ進む。
　【００８５】
　Ｓ４１では上述した各モード等に各々対応した効果音を選択し発生させる処理を行い、Ｓ４２では上記Ｓ４１でセットされた効果音が図示を省略したスピーカなどから出力される。ついでＳ４３では上記第１ないし第３のカウンタの乱数値Ｎ１〜３に係る加算処理が実行された後、割込み信号が入力される迄、Ｓ４４をループする。
　【００８６】
　つぎに上述したＳ４３にける乱数値Ｎ１〜３に係る加算処理を図２３について以下に説明する。まずＳ４３ー１において第１のカウンタの現乱数値Ｎ１に「１」を加算処理したのち、Ｓ４３ー２では、第１のカウンタのあらたな乱数値Ｎ１が「８０」を越えているか否かを判定し、「８０」を越えている場合はＳ４３ー３で第１のカウンタをクリアしたのち、Ｓ４３ー４で「０」を第１のカウンタにセットする。他方Ｓ４３ー２で第１のカウンタの乱数値Ｎ１が「８０」未満である場合は、Ｓ４３ー４でその値をそれぞれ第１のカウンタにセットし、Ｓ４３ー５へ進む。
　【００８７】
　Ｓ４３ー５では、第２のカウンタの現乱数値Ｎ２に「１」を加算処理したのち、Ｓ４３ー６で、その加算処理した第２のカウンタの乱数値Ｎ２が「５」以上であるか否かを判定し、「５」以上である場合は、Ｓ４３ー７で第２のカウンタをクリアして「０」を第２のカウンタにセットする一方、「５」未満である場合は、つぎのＳ４３ー８でその値を第２のカウンタにセットしてＳ４３ー９へ進む。そしてＳ４３ー９では、第２のカウンタの現乱数値Ｎ２が「０」であるか否かを判定し、「０」である場合は、Ｓ４３ー１０が実行される。他方、第２のカウンタの現乱数値Ｎ２が「０」でない場合には割込み信号が入力される迄図１６のＳ４４をループする。
　【００８８】
　つぎにＳ４３ー１０では第３のカウンタの現乱数値Ｎ３に「１」を加算処理したのち、Ｓ４３ー１１でその加算処理した第３のカウンタの乱数値Ｎ３が「３」以上であるか否かを判定し、「３」以上である場合、Ｓ４３ー１２において第３のカウンタをクリアして「０」を第３のカウンタにセットする一方、「３」未満である場合、その値をＳ４３ー１３において第３のカウンタにセットする。そして割込み信号が入力される迄図１６のＳ４４をループする。
　【００８９】
　なお本実施例では図１５に示すように権利モード「２」の場合のみ、確率調節手段３８は当たり確率制御信号を発生させているがこれに限定されない。また本実施例では特定識別情報が停止表示されることにより振分装置４１を作動させ、特別装置作動領域４７へ打球を振分け、該打球が特別装置スイッチ４８に検出されることにより特別装置４９を作動または作動停止させているが、特定識別情報が停止表示されることに基いて、直接、特別装置４９を作動または作動停止させるようにしてもよい。
　【００９０】
　さらにまた本実施例では図柄作動スイッチ１９に打球が検出されることにより所定時間識別情報を変動表示し、こののちに識別情報を停止表示させているが、シリンダを常時変動表示させておき、図柄作動スイッチ１９が打球を検出したときに変動表示を停止して識別情報を停止表示するようにしてもよい。
　【００９１】
　【発明の効果】
　本発明は以上説明したように、特定識別情報が識別情報表示制御手段によって複数種の識別情報の中から選択される確率を確率調節手段によって最小にできるので、特別装置の作動時に識別情報表示装置が特定識別情報を停止表示する可能性は上記複数の確率のうち最小になる。これにより権利をすべて行使する以前に、権利が消滅することをを抑止できることから、遊技者には権利確保に係る安心感と単位時間当たり得られる通常時よりも多量な賞品球への期待感とを付与することによって遊技意欲を向上させることができる。
【図面の簡単な説明】
　【図１】
　本発明の一実施例を示す要部ブロック図である。
　【図２】
　図１の装置を設けたパチンコ機の要部正面図である。
　【図３】
　図２のパチンコ機に設けた特別入賞装置の側面図である。
　【図４】
　図２のパチンコ機に設けた可変入賞球装置の正面図である。
　【図５】
　図２のパチンコ機に設けた可変入賞球装置の側面図である。
　【図６】
　図３の特別入賞装置の正面図である。
　【図７】
　図２と異なる状態を示すパチンコ機の正面図である。
　【図８】
　図３の円盤を示す平面図である。
　【図９】
　図３の底部を示す平面図である。
　【図１０】
　図１の特別装置の正面図である。
　【図１１】
　図１０と異なる状態を示す特別装置の正面図である。
　【図１２】
　図１１と異なる状態を示す特別装置の正面図である。
　【図１３】
　図１２と異なる状態を示す特別装置の正面図である。
　【図１４】
　図１の装置の制御タイミングの一部を示す図である。
　【図１５】
　図１４の他部を示すタイミングの図である。
　【図１６】
　図１の装置の制御手順の一部を示す流れ図である。
　【図１７】
　図１６の他部を示す流れ図である。
　【図１８】
　図１７の他部を示す流れ図である。
　【図１９】
　図１８の他部を示す流れ図である。
　【図２０】
　図１９の他部を示す流れ図である。
　【図２１】
　図２０の他部を示す流れ図である。
　【図２２】
　図２１の他部を示す流れ図である。
　【図２３】
　図２２の他部を示す流れ図である。
　【符号の説明】
　１　パチンコ機
　４　可変入賞球装置
　５　第２特定領域
　６　特別入賞装置
　７　第１特定領域
１０　大入賞口ソレノイド
１８　識別情報表示装置
３８　確率調節手段
３９　識別情報表示制御手段
４９　特別装置